(57)【要約】【課題】無線装置の電池寿命を延ばすようにした無線通信装置を提供することを目的とする。【解決手段】無線信号を送信及び受信する無線通信アンテナ１と、無線通信アンテナ１から無線送信する信号を制御する無線送信制御部６と、無線通信アンテナ１から受信した電波強度を判断する電波強度測定部４と、前記電波強度測定部４で測定した電波強度により無線送信出力を変更する無線送信出力変更手段５とを備えたものである。これによって、必要以上の無線送信出力をしなくなり、無線通信装置の電池消耗を抑えることが可能となる。【選択図】図１
2006345141.tif 000002
【特許請求の範囲】
【請求項１】
無線信号を送信及び受信する無線通信アンテナと、前記無線通信アンテナから無線送信する信号を制御する無線送信制御部と、前記無線通信アンテナから受信した電波強度を判断する電波強度測定部と、前記電波強度測定部で測定した電波強度により無線送信出力を変更する無線送信出力変更手段とを備えた無線通信装置。
【請求項２】
無線信号を送信及び受信する無線通信アンテナと、前記無線通信アンテナから無線送信する信号を制御する無線送信制御部と、無線通信アンテナから入力する無線信号を制御する無線受信制御部と、無線送信制御部からの送信信号を無線通信アンテナから送信した後に無線受信制御部において応答電文を受信できない場合、再送信する無線送信出力を変更する再送無線送信出力変更手段とを備えた無線通信装置。
【請求項３】
無線送信制御部からの送信信号の無線送信出力を記憶する無線送信出力記憶手段を備えた請求項１または２に記載の無線通信装置。
【発明の詳細な説明】
【技術分野】
【０００１】
本発明は、無線装置や特定小電力無線装置に用いられる無線通信装置に関するものである。
【背景技術】
【０００２】
従来、この種の無線通信装置では、無線装置の登録時に無線送信出力を変化させて、登録したい機器だけを登録できるようにしていた（例えば、特許文献１参照）。
【特許文献１】特開２００２−１２５２７８号公報
【発明の開示】
【発明が解決しようとする課題】
【０００３】
しかしながら、前記従来の構成では、無線装置の使用時には無線送信出力は固定されるために、必要以上に無線送信電力を出してしまい、電池駆動機器においては必要以上に電池を消耗してしまう。また、送信電力が大きい場合には無線通信したくない相手へも電波が届くことがあり、電波を受信した無線機器も不要な電波を受信してしまい電池を消耗してしまう。
【０００４】
本発明は、前記従来の課題を解決するもので、無線装置の電池寿命を延ばすようにした無線通信装置を提供することを目的とする。
【課題を解決するための手段】
【０００５】
前記従来の課題を解決するために、本発明の無線通信装置は、無線信号を送信及び受信する無線通信アンテナと、前記無線通信アンテナから無線送信する信号を制御する無線送信制御部と、前記無線通信アンテナから受信した電波強度を判断する電波強度測定部と、前記電波強度測定部で測定した電波強度により無線送信出力を変更する無線送信出力変更手段とを備えたものである。
【０００６】
これによって、必要以上の無線送信出力をしなくなり、無線通信装置の電池消耗を抑えることが可能となる。
【発明の効果】
【０００７】
本発明の無線通信装置は、必要以上の無線送信出力をしなくなり、無線通信装置の電池消耗を抑えることが可能となるため、電池寿命の長い無線通信装置を提供することができる。
【発明を実施するための最良の形態】
【０００８】
第１の発明は、無線信号を送信及び受信する無線通信アンテナ部と、前記無線通信アンテナ部から無線送信する信号を制御する無線送信制御部と、前記無線通信アンテナ部から受信した電波強度を判断する電波強度測定部と、前記電波強度測定部で測定した電波強度により無線送信出力を変更する無線送信出力変更手段とを備えた無線通信装置とすることにより、必要以上の無線送信出力をしなくなり、無線通信装置の電池消耗を抑えることが可能となる。
【０００９】
第２の発明は、無線信号を送信及び受信する無線通信アンテナと、前記無線通信アンテナから無線送信する信号を制御する無線送信制御部と、無線通信アンテナから入力する無線信号を制御する無線受信制御部と、無線送信制御部からの送信信号を無線通信アンテナから送信した後に無線受信制御部において応答電文を受信できない場合、再送信する無線
送信出力を変更する再送無線送信出力変更手段とを備えたことにより、無線送信電波が相手に届かない場合は送信出力を大きくして無線通信できない状態を回避することができる。
【００１０】
第３の発明は、第１または第２の発明において、無線送信制御部からの送信信号の無線送信出力を記憶する無線送信出力記憶手段を備えたことにより、常に必要以上の無線送信出力を行わないようになり電池消耗を防ぐことができる。
【００１１】
以下、本発明の実施の形態について、図面を参照しながら説明する。なお、この実施の形態によって本発明が限定されるものではない。
【００１２】
（実施の形態１）
図１は、本発明の実施の形態１における無線通信装置を示すものである。
【００１３】
図に示すように、本実施の形態における無線通信装置は、無線信号を送信及び受信する無線通信アンテナ１と、無線通信アンテナ１と接続している無線通信アンテナ送受信切替部２と、無線通信アンテナ１から受信した電波信号を、前記無線通信アンテナ切替部２を通して入力し信号の内容を解析制御する無線受信制御部３と、前記無線通信アンテナ１から受信した電波強度を判断する電波強度測定部４と、前記電波強度測定部４で測定した電波強度により無線送信出力を変更する無線送信出力変更手段５と、前記無線通信アンテナ１から無線送信する信号を制御する無線送信制御部６とを備えたものである。
【００１４】
図に示す無線通信装置は、例えば、無線通信のインターホン８であり、例えば、子供部屋に設置しており、リビングに設置している宅内メインコントローラー９と無線通信を行うようになっている。
【００１５】
宅内メインコントローラー９の呼出スイッチ１０を操作すると、呼出信号を無線送信し、インターホン８の無線通信アンテナ１を介して無線受信制御部３において呼出信号と判断した場合、音声出力手段７からブザー音を出力する。無線受信した呼出信号は電波強度測定部４で電波強度を測定し、所定のレベル以上であった場合は無線送信出力変更手段５において無線送信出力を小さく設定(例えば、5ｍW)し、受信した電波強度が所定のレベル未満の場合は無線送信出力を大きく設定(例えば１０ｍW)し、無線送信制御部６により無線送信出力を変更して無線通信アンテナ１を介して宅内メインコントローラー９に応答を無線送信する。
【００１６】
以上のように、本実施の形態においては、無線受信した電波強度により無線送信出力を変更する無線送信出力変更手段５を備えているため、近距離での無線通信では無線送信出力を小さくできるため、電池寿命を長くすることができる。
【００１７】
（実施の形態２）
図２は、本発明の実施の形態２における無線通信装置を示すものである。実施の形態１と同一要素については同一符号を付してその説明を省略する。
【００１８】
図に示すように、本実施の形態における無線通信装置は、無線送信制御部６からの送信信号を無線通信アンテナ１から送信した後に無線受信制御部３において応答電文を受信できない場合、再送信する無線送信出力を変更する再送無線送信出力変更手段１１を備えたものである。
【００１９】
ここで、インターホン８の呼出スイッチ１２を操作すると、無線送信制御部６によって所定の送信出力(例えば５ｍW)で無線通信アンテナ１を介して呼出情報を無線送信する。
無線送信後から一定時間内に宅内メインコントローラー９からの応答電波を無線受信できない場合、再送無線送信出力変更手段１１により無線送信出力を大きく設定(例えば10mW)し、再度無線送信制御部から無線通信アンテナ１を介して無線送信を行う。宅内メインコントローラー９には呼出しブザー１３が設けられている。
【００２０】
以上の構成とすることにより、無線送信電波が相手に届かない場合は送信出力を大きくして無線通信できない状態を回避することができる。
【００２１】
（実施の形態３）
図３は、本発明の実施の形態３における無線通信装置を示すものである。実施の形態１、２と同一要素については同一符号を付してその説明を省略する。
【００２２】
図に示すように、本実施の形態における無線通信装置は、無線送信制御部６からの送信信号の無線送信出力を記憶する無線送信出力記憶手段１４を備えたものである。
【００２３】
宅内メインコントローラー９の呼出スイッチ１０を操作すると、呼出信号を無線送信し、インターホン８の無線通信アンテナ１を介して無線受信制御部３において呼出信号と判断した場合、音声出力手段７からブザー音を出力する。また、無線受信制御部３は無線受信した情報内の無線通信機器固有のIDを記憶しておく。無線受信した呼出信号は電波強度測定部４で電波強度を測定し、所定のレベル以上であった場合は無線送信出力変更手段５において無線送信出力を小さく設定(例えば、5ｍW)し、受信した電波強度が所定のレベル未満の場合は無線送信出力を大きく設定(例えば１０ｍW)し、無線受信制御部３で記憶した無線通信機器固有のIDと無線送信出力設定値を無線送信出力記憶手段１４(例えば、不揮発性メモリ)に記憶し、無線送信制御部６により無線送信出力を変更して無線通信アンテナ１を介して宅内メインコントローラー９に応答を無線送信する。
【００２４】
インターホン８の呼出スイッチ１０を操作すると、無線送信先の無線通信機器固有のIDから無線送信出力記憶手段１４に記憶した無線送信出力設定値に無線送信出力を設定し、無線送信制御部６によって無線通信アンテナ１を介して呼出情報を無線送信する。
【００２５】
以上の構成とすることにより、常に必要以上の無線送信出力は行わないようになり電池消耗を防ぐことができる。
【産業上の利用可能性】
【００２６】
以上のように、本発明にかかる無線通信装置は、無線通信出力を必要以上に設定しないように変更できるため、不要な電波を受信して必要な電波の受信が遅れてしまうことが軽減できAC100V電源の無線通信機器にも適用できる。
【図面の簡単な説明】
【００２７】
【図１】本発明の実施の形態１における無線通信装置のシステム図
【図２】本発明の実施の形態２における無線通信装置のシステム図
【図３】本発明の実施の形態３における無線通信装置のシステム図
【符号の説明】
【００２８】
１  無線通信アンテナ
２  無線通信アンテナ送受信切替部
３  無線受信制御部
４  電波強度測定部
５  無線送信出力変更手段
６  無線送信制御部
１１  再送無線送信出力変更手段
１４  無線送信出力記憶手段
【図１】
2006345141.tif 000003
【図２】
2006345141.tif 000004
【図３】
2006345141.tif 000005